(57)【特許請求の範囲】
【請求項１】
内部に植物が植え込まれる内鉢と、該内鉢の下部を収容可能な外鉢とを有し、前記内鉢の外周面の中間部位に前記外鉢の上縁部を当接状態として、前記内鉢の下部が前記外鉢の内に位置し、上部が前記外鉢の上端より突出し、前記外鉢の底部と前記内鉢の底面との間、及び前記外鉢の上端部位と前記内鉢との間に隙間を形成すると共に、前記外鉢の周壁部における前記内鉢との重合部位に複数個の貫通孔を貫設し、前記外鉢の上部に複数の鱗状突片を形成したことを特徴とする二重植木鉢。
【発明の詳細な説明】
【技術分野】
【０００１】
本発明は、内外鉢を組み合わせた二重植木鉢に関する。
【背景技術】
【０００２】
従来、植木鉢は単体のものが多く、特に室内に置く場合には下に受皿を敷くのが一般的である。
【０００３】
又、内鉢及び外鉢を有する二重植木鉢なるものも見受けられ、具体的には、外鉢は少なくとも開口端面が焼成後の歪みを残した状態である陶磁器製とし、内鉢は全体が陶磁器製で、外鉢の開口部の外側の輪郭とほぼ同じか又はそれより若干大きい輪郭を有する外フランジを開口端面に備え、その外フランジを外鉢の開口端面に載置することにより外鉢内面との間に隙間を保って外鉢内に吊り支えられるようになし、さらに外鉢の周壁部であって内鉢の胴部の中間に対応する高さに１個の貫通孔を穿設すると共に内鉢の周壁部及び底部であって外鉢の貫通孔より高所と低所に複数の透孔を穿設している（例えば、特許文献１参照）。
【０００４】
この植木鉢は、水を入れた外鉢に内鉢を装着すると、水嵩が上がり貫通孔から外部に排出されて、最終的な水位は貫通孔のレベルとなり、この状態では内鉢の水に浸かっている領域にある透孔から用土に水が沁み込み、内鉢の水に浸かっていない領域の透孔から用土に空気が供給される。
【０００５】
そして、内鉢の外フランジと外鉢の開口端面の接触部に、該外鉢の開口端面の歪みで生じる隙間から通気可能になることから、外鉢の１個の貫通孔又は接触部の隙間から外鉢内に流入した空気が、接触部の隙間又は外鉢の１個の貫通孔から外部に抜けるため、外鉢内の空気の淀みが生じない。
【先行技術文献】
【特許文献】
【０００６】
【特許文献１】特開２００６−１９７８８５号公報
【発明の概要】
【発明が解決しようとする課題】
【０００７】
しかし、上記従来技術にあっては、周壁部に土壌に対する通気及び給水のための複数の透孔が形成された専用の内鉢との組合せであって、既存の植木鉢との組合せは想定されていないなど、解決せねばならない課題があった。
【課題を解決するための手段】
【０００８】
本発明は、上記従来技術に基づく、専用の内鉢が必要な課題に鑑み、内部に植物が植え込まれる内鉢と、該内鉢の下部を収容可能な外鉢とを有し、前記内鉢の外周面の中間部位に前記外鉢の上縁部を当接状態として、前記内鉢の下部が前記外鉢の内に位置し、上部が前記外鉢の上端より突出し、前記外鉢の底部と前記内鉢の底面との間、及び前記外鉢の上端部位と前記内鉢との間に隙間を形成すると共に、前記外鉢の周壁部における前記内鉢との重合部位に複数個の貫通孔を貫設し、前記外鉢の上部に複数の鱗状突片を形成することによって、一部の貫通孔から前記外鉢内に流入した空気を残る貫通孔から流出させることで、前記外鉢内内の淀んだ空気を排出可能な二重植木鉢の内鉢を、対応可能な形状及び大きさであれば既存の植木鉢であっても組み合わせることを可能にして、上記課題を解決する。
【発明の効果】
【０００９】
要するに本発明は、内部に植物が植え込まれる内鉢と、該内鉢の下部を収容可能な外鉢とを有し、前記内鉢の外周面の中間部位に前記外鉢の上縁部を当接状態として、前記内鉢の下部が前記外鉢の内に位置し、上部が前記外鉢の上端より突出し、前記外鉢の底部と前記内鉢の底面との間、及び前記外鉢の上端部位と前記内鉢との間に隙間を形成すると共に、前記外鉢の周壁部における前記内鉢との重合部位に複数個の貫通孔を貫設し、前記外鉢の上部に複数の鱗状突片を形成したので、かかる二重植木鉢にあっては、専用の内鉢とだけでなく、条件さえ整えば既存の植木鉢を内鉢として組み合わせることも出来るため、購入者が好みの内外鉢を適宜選択して組み合わることが出来、よって室内環境に最適な鉢植えとして飾ることが出来る。
【００１０】
又、内鉢が外鉢内に溜まった水に浸からせない様にセットされ、且つ一部の貫通孔から外鉢と内鉢との隙間に流入した空気により、該隙間内の淀んだ空気が残る貫通孔から外鉢の外側に排出され、且つセット状態の内鉢が外鉢内に溜まった水に浸からないため、内鉢に植え込んだ植物の根腐れを防止することが出来る等その実用的効果甚だ大である。
【図面の簡単な説明】
【００１１】
【図１】本発明に係る二重植木鉢の正面図である。
【図２】図１のＹ−Ｙ断面図である。
【発明を実施するための形態】
【００１２】
本発明に係る二重植木鉢の発明を実施するための形態を図面に基づき説明する。
本発明に係る二重植木鉢にあっては、内部に植物が植え込まれる内鉢１と、該内鉢１の下部を収容可能な外鉢２とを有し、内鉢１の外周面の中間部位に外鉢２の上縁部を当接状態として、内鉢１の下部が外鉢２の内に収容され、上部が外鉢２の上端より突出し、外鉢２の底部と内鉢１の底面との間、及び外鉢２の上端部位と内鉢１との間に隙間３、４を形成すると共に、外鉢２の周壁部における内鉢１との重合部位に複数個の貫通孔５、5a…を貫設し、例えば内鉢をプラスチック製、外鉢を金属製とするなど、内外鉢１、２を異材質とすることが好ましい。
【００１３】
内鉢１にあっては、図面上、外周面が下方側へ徐々に減径する例えばテーパ面の様な、通常一般的な植木鉢と同じ形態としているが、要するに外鉢２の上部より差し込み可能で、且つ外周面の中間部に対し外鉢２の上縁部が当接した状態で該外鉢２に対し固定可能な形態であれば良い。
【００１４】
外鉢２にあっては、有底円筒状にして、上部に複数の鱗状突片６、6a…を有する形態としている。
【００１５】
尚、各貫通孔５、5a…は、複数個（図面上、７個）の同形の円孔で構成されているが、１個であっても、或いは形状及び大きさの異なる複数個の小孔で構成されていても良い。  
【００１６】
次に、本発明に係る二重植木鉢の作用について説明する。
本発明に係る二重植木鉢にあっては、主に室内に鉢植えを飾るために使用することを目的とし、外鉢が水やりの手間を省くために水を溜めておくものでは無く、基本的には従来の受皿と変わりはないが、鉢植えである内鉢１を、その下方に隙間３を形成可能に載置し、且つ内鉢１の外周面との間に隙間４を形成可能にすべく外鉢２の構成に工夫を凝らし、その結果として、内鉢１が、該内鉢１を通過して外鉢２内に溜まった水に浸からせない様にセットされ、且つ複数の貫通孔５、5a…を形成することで、空気の流入出口を確保して、外鉢２と内鉢１との間の淀んだ空気が外鉢２の外側に排出されて、セット状態の内鉢１が外鉢２内に溜まった水に浸からず、外鉢２と内鉢１との間の淀んだ空気も排出可能なため、根腐れが防止される。
【００１７】
又、内鉢１表面が透けて見える貫通孔５、5a…がワンポイントの模様になってアクセントのある外観に成り、且つ外鉢２と内鉢１を異材質にすることで、単体とは異なる外観と成り、例え内鉢が一見見栄えの良くない素焼きのものであったとしても、別素材の外鉢と組み合わせて使用すれば、全体として見栄えの良いものになる。
【符号の説明】
【００１８】
１        内鉢
２        外鉢
３        隙間
４        隙間
５、5a…  貫通孔
６、6a…  鱗状突片
【図１】
0006463605.tif 000002
【図２】
0006463605.tif 000003